(57)【要約】【課題】セキュリティ性を高めつつ、開封作業も行いやすい貴重品封筒を提供する。【解決手段】貴重品封筒１０は、周縁部の３辺が貼り合わされて袋状の封筒部となる上側及び下側封筒片１１，１２と、上側封筒片１１の大部分を包含する位置に形成され、封筒部を開封する開封用ミシン目１３と、開封用ミシン目１３を覆うように配置され、開封用ミシン目１３を保護する保護シート１４と、上側封筒片１１の左端部と保護シート１４の左端部、及び、開封領域１１Ａと保護シート１４とを強接着する強接着剤１５と、非開封領域１１Ｂと保護シート１４とを剥離可能に擬似接着する擬似接着剤１６と、封筒部の開口部ａを塞ぐフラップ部１７と、フラップ部１７を封緘する両面テープ１８と、封筒部の貼り合わせ部分に設けられた切り込み１９と、下側封筒片１２の内面に設けられ、地紋印刷からなる機能層２０などとを備える。【選択図】図１
2006312473.tif 000002
【特許請求の範囲】
【請求項１】
周縁部の一部又は全部が貼り合わされて袋状の封筒部となる上側及び下側封筒片と、
前記上側封筒片に形成され、前記封筒部を開封する開封予定線と、
前記開封予定線の一部又は全部を覆うように配置され、前記開封予定線を保護する保護シートと、
を備える貴重品封筒。
【請求項２】
請求項１に記載の貴重品封筒において、
前記開封予定線は、前記上側封筒片を、開封領域及び非開封領域に区画し、
前記開封領域と前記保護シートとを強接着する強接着層と、
前記非開封領域と前記保護シートとを擬似接着する擬似接着層とを備えること、
を特徴とする貴重品封筒。
【請求項３】
請求項１に記載の貴重品封筒において、
前記開封予定線は、前記上側封筒片を、第１の開封領域，第２の開封領域及び非開封領域に区画し、
前記第１の開封領域と前記保護シートとを強接着する強接着層と、
前記第２の開封領域及び非開封領域と前記保護シートとを擬似接着する擬似接着層とを備えること、
を特徴とする貴重品封筒。
【請求項４】
請求項１に記載の貴重品封筒において、
前記保護シートは、分離して剥がし取れるように形成され、前記開封予定線の少なくとも一部を表出させるフタ部を備え、
前記フタ部と前記フタ部の下層の上側封筒片とを擬似接着する擬似接着層と、
前記フタ部以外の領域の保護シートと前記フタ部以外の領域の保護シートの下層の上側封筒片とを強接着する強接着層とを備えること、
を特徴とする貴重品封筒。
【請求項５】
請求項４に記載の貴重品封筒において、
前記保護シートは、前記フタ部に連結する位置であって、前記開封予定線と重ならず、かつ、前記開封予定線に沿うように形成され、前記開封予定線での開封を補助する補助開封予定線を備えること、
を特徴とする貴重品封筒。
【請求項６】
請求項１から請求項５までのいずれか１項に記載の貴重品封筒において、
前記開封予定線は、前記上側封筒片の大部分を包含する位置及び／又は形状に形成されていること、
を特徴とする貴重品封筒。
【請求項７】
請求項１から請求項６までのいずれか１項に記載の貴重品封筒において、
前記開封予定線は、開封を開始するためのつまみ部を備えること、
を特徴とする貴重品封筒。
【請求項８】
請求項１から請求項７までのいずれか１項に記載の貴重品封筒において、
前記封筒部は、その封筒部の開口部を塞ぐフラップ部を備えること、
を特徴とする貴重品封筒。
【請求項９】
請求項８に記載の貴重品封筒において、
前記フラップ部を封緘する封緘手段を備えること、
を特徴とする貴重品封筒。
【請求項１０】
請求項１から請求項９までのいずれか１項に記載の貴重品封筒において、
前記封筒部は、貼り合わせ部分に、不正な開封及び／又は不正な再封を防止する不正防止部を備えること、
を特徴とする貴重品封筒。
【請求項１１】
請求項１から請求項１０までのいずれか１項に記載の貴重品封筒において、
前記封筒部は、その内面及び／又は外面に、封入物の取り忘れ及び／又は封入物の透けを防止する機能層を備えること、
を特徴とする貴重品封筒。
【請求項１２】
請求項１から請求項１１までのいずれか１項に記載の貴重品封筒において、
前記上側封筒片，前記下側封筒片及び前記保護シートのうち少なくとも１つは、機械読取可能な識別情報を備えること、
を特徴とする貴重品封筒。
【発明の詳細な説明】
【技術分野】
【０００１】
本発明は、貴重品を配送するための貴重品封筒に関するものである。
【背景技術】
【０００２】
現在、個人情報保護の要求が増えてきている。
これまで、外部から目視可能な状態のハガキで送っていた申込書は、隠蔽ラベル付きになったり、封書になったり、という例が増えている（例えば、特許文献１）。
これと同じ流れの中で、社内便や郵便で配送する各種資料にも同様の配慮が必要になってきている。
例えば、顧客リストを、プリンタで出力した用紙で送る場合などは、途中で抜き取られてコピーされてしまえば、個人情報の流出ということになってしまう。
一方、手間のかかる封筒では、やはり利用されなくなってしまい、利用されなければ、個人情報の流出のリスクを回避できない。
また、封筒の場合は、受取側で開封しにくいと、事務作業が煩雑になったり、封入物の取り残しが生じたり、といった事態が想定される。
【特許文献１】特開２００４−１０９５７７号公報
【発明の開示】
【発明が解決しようとする課題】
【０００３】
本発明の課題は、セキュリティ性を高めつつ、開封作業も行いやすい貴重品封筒を提供することである。
【課題を解決するための手段】
【０００４】
前記課題を解決するために、請求項１の発明は、周縁部の一部又は全部が貼り合わされて袋状の封筒部となる上側及び下側封筒片と、前記上側封筒片に形成され、前記封筒部を開封する開封予定線と、前記開封予定線の一部又は全部を覆うように配置され、前記開封予定線を保護する保護シートと、を備える貴重品封筒である。
請求項２の発明は、請求項１に記載の貴重品封筒において、前記開封予定線は、前記上側封筒片を、開封領域及び非開封領域に区画し、前記開封領域と前記保護シートとを強接着する強接着層と、前記非開封領域と前記保護シートとを擬似接着する擬似接着層とを備えること、を特徴とする貴重品封筒である。
請求項３の発明は、請求項１に記載の貴重品封筒において、前記開封予定線は、前記上側封筒片を、第１の開封領域，第２の開封領域及び非開封領域に区画し、前記第１の開封領域と前記保護シートとを強接着する強接着層と、前記第２の開封領域及び非開封領域と前記保護シートとを擬似接着する擬似接着層とを備えること、を特徴とする貴重品封筒である。
請求項４の発明は、請求項１に記載の貴重品封筒において、前記保護シートは、分離して剥がし取れるように形成され、前記開封予定線の少なくとも一部を表出させるフタ部を備え、前記フタ部と前記フタ部の下層の上側封筒片とを擬似接着する擬似接着層と、前記フタ部以外の領域の保護シートと前記フタ部以外の領域の保護シートの下層の上側封筒片とを強接着する強接着層とを備えること、を特徴とする貴重品封筒である。
請求項５の発明は、請求項４に記載の貴重品封筒において、前記保護シートは、前記フタ部に連結する位置であって、前記開封予定線と重ならず、かつ、前記開封予定線に沿うように形成され、前記開封予定線での開封を補助する補助開封予定線を備えること、を特徴とする貴重品封筒である。
請求項６の発明は、請求項１から請求項５までのいずれか１項に記載の貴重品封筒において、前記開封予定線は、前記上側封筒片の大部分を包含する位置及び／又は形状に形成されていること、を特徴とする貴重品封筒である。
請求項７の発明は、請求項１から請求項６までのいずれか１項に記載の貴重品封筒において、前記開封予定線は、開封を開始するためのつまみ部を備えること、を特徴とする貴重品封筒である。
請求項８の発明は、請求項１から請求項７までのいずれか１項に記載の貴重品封筒において、前記封筒部は、その封筒部の開口部を塞ぐフラップ部を備えること、を特徴とする貴重品封筒である。
請求項９の発明は、請求項８に記載の貴重品封筒において、前記フラップ部を封緘する封緘手段を備えること、を特徴とする貴重品封筒である。
請求項１０の発明は、請求項１から請求項９までのいずれか１項に記載の貴重品封筒において、前記封筒部は、貼り合わせ部分に、不正な開封及び／又は不正な再封を防止する不正防止部を備えること、を特徴とする貴重品封筒である。
請求項１１の発明は、請求項１から請求項１０までのいずれか１項に記載の貴重品封筒において、前記封筒部は、その内面及び／又は外面に、封入物の取り忘れ及び／又は封入物の透けを防止する機能層を備えること、を特徴とする貴重品封筒である。
請求項１２の発明は、請求項１から請求項１１までのいずれか１項に記載の貴重品封筒において、前記上側封筒片，前記下側封筒片及び前記保護シートのうち少なくとも１つは、機械読取可能な識別情報を備えること、を特徴とする貴重品封筒である。
【発明の効果】
【０００５】
本発明によれば、封筒部の開封予定線を保護シートで保護しているので、配送中の不用意な開封を防止することができ、セキュリティ性を高めることができる。
また、封筒部の開封予定線によって、封筒自体を簡単に開封することができ、開封作業も行いやすい。
さらに、開封時には、封筒部の一部が開封予定線によって破壊されるので、開封されて封入物がスキミング（のぞき見）された場合には、その事実を確認することができる。
【発明を実施するための最良の形態】
【０００６】
本発明は、セキュリティ性を高めつつ、開封作業も行いやすい貴重品封筒を提供するという目的を、封筒部の上側封筒片に開封用ミシン目を形成し、その開封用ミシン目を保護シートで保護することにより実現する。
【実施例１】
【０００７】
以下、図面等を参照して、本発明の実施例について、さらに詳しく説明する。
図１は、本発明による貴重品封筒の実施例１を示す図である。
実施例１の貴重品封筒１０は、図１（Ａ）に示すように、上側封筒片１１と、下側封筒片１２と、開封用ミシン目（開封予定線）１３と、保護シート１４と、強接着剤（強接着層）１５と、擬似接着剤（擬似接着層）１６と、フラップ部１７と、両面テープ（封緘手段）１８と、切り込み（不正防止部）１９と、機能層２０などとを備える。
【０００８】
上側封筒片１１及び下側封筒片１２は、接着剤などで、周縁部の３辺が貼り合わされて袋状の封筒部となるものであり、貼り合わされていない残りの１辺は、開口部ａ（図１（Ｃ）参照）となっている。
本実施例では、上側封筒片１１と下側封筒片１２との間の封筒部に、セキュリティ性の高い封入物３０、例えば、申込用紙、請求書、手形、小切手などの貴重品を封入するようにしてある。
【０００９】
開封用ミシン目１３は、上側封筒片１１の大部分を包含する位置に形成され、封筒部を開封するものであり、開封を開始するためのつまみ部１３ａを備える。また、開封用ミシン目１３は、上側封筒片１１を、開封領域１１Ａ及び非開封領域１１Ｂに区画している。
保護シート１４は、開封用ミシン目１３（つまみ部１３ａは除く）を覆うように配置され、開封用ミシン目１３を保護するものである。
【００１０】
強接着剤１５は、上側封筒片１１の左端部と保護シート１４の左端部、及び、開封領域１１Ａと保護シート１４とを強接着するものである。
擬似接着剤１６は、非開封領域１１Ｂと保護シート１４とを剥離可能に擬似接着するものである。
【００１１】
フラップ部１７は、下側封筒片１２に設けられ、封筒部の開口部ａを塞ぐものであり、その裏面には、つまみ部１３ａと逆型のミシン目を備える。
両面テープ１８は、フラップ部１７を封緘するものであり、フラップ部１７上に設けられた粘着剤層と、その粘着剤層を保護する剥離紙とを備える。
【００１２】
切り込み１９は、封筒部の貼り合わせ部分の下側封筒片１２に設けられた半円弧状のカット線である（図１（Ｂ）参照）。この切り込み１９は、封筒部を無理やり剥がそうとした場合に、封筒部自体を破壊するものであり、不正な開封や不正な再封を防止している。
【００１３】
機能層２０は、下側封筒片１２の内面に設けられた地紋印刷（着色層）であり、封入物３０の取り忘れや、封入物３０の透けを防止している。また、地紋印刷は、封入物３０としてほとんど存在しない暗色系のインキで印刷するのが効果的である。
【００１４】
次に、実施例１による貴重品封筒１０の使用方法について説明する。
まず、図１（Ｃ）に示すように、開口部ａから封入物３０を入れ、両面テープ１８の剥離紙を剥がし、粘着剤を表出させる。
ついで、図１（Ｄ）に示すように、フラップ部１７を内側に折り返し、両面テープ１８の粘着剤で封緘する。
この状態で、貴重品封筒１０は、配送される。
受取側では、図１（Ｅ）に示すように、つまみ部１３ａをつかみ、そのまま反対側まで引っ張って、開封する。
【００１５】
このように、実施例１によれば、以下のような効果がある。
（１）開封用ミシン目１３を保護シート１４で保護しているので、配送中の不用意な開封を防止することができ、個人情報の流出や貴重品の紛失を防止することができる。
（２）開封用ミシン目１３によって、封筒自体を簡単に開封することができ、開封作業も行いやすい。
（３）非開封領域１１Ｂと保護シート１４とを剥離しながら、開封領域１１Ａと保護シート１４とを同時にめくることができるので、開封作業をワンアクション（一連の動作）で行うことができる。
【００１６】
（４）封入物３０は、封筒部に封入されており、開封時には、封筒部の大部分が開封用ミシン目１３によって破壊されるように構成されているので、開封されて封入物がスキミングされた場合には、その事実を確認することができ、また、開封後には、封筒自体を再利用することができず、セキュリティ性が高い。
（５）封筒部の開口部ａは、両面テープ１８で簡単に封緘することができる。
【実施例２】
【００１７】
図２は、本発明による貴重品封筒の実施例２を示す図である。
なお、前述した実施例１と同様な機能を果たす部分には、同一の符号又は末尾に統一した符号を付して、重複する説明や図面を適宜省略する。
実施例２の貴重品封筒１０Ａは、実施例１の貴重品封筒１０と比較して、開封の方式が異なる。
開封用ミシン目１３は、上側封筒片１１を、第１の開封領域１１Ａ−１，第２の開封領域１１Ａ−２及び非開封領域１１Ｂに区画している。
非開封領域１１Ｂは、上側封筒片１１の上端部分及び下端部分であり、第１の開封領域１１Ａ−１は、非開封領域１１Ｂの間の領域の右端部分であり、第２の開封領域１１Ａ−２は、非開封領域１１Ｂの間の領域の第１の開封領域１１Ａ−１以外の部分である。
【００１８】
強接着剤１５は、第１の開封領域１１Ａ−１と保護シート１４とを強接着し、擬似接着剤１６は、第２の開封領域１１Ａ−２及び非開封領域１１Ｂと保護シート１４とを擬似接着している。
【００１９】
そして、この貴重品封筒１０Ａを使用する場合には、まず、図２（Ｂ）に示すように、封入物３０を入れ、両面テープ１８で封緘し、この状態で配送する。
受取側では、図２（Ｃ）に示すように、保護シート１４を左側からめくり、さらに、図２（Ｄ）に示すように、開封用ミシン目１３によって第２の開封領域１１Ａ−２をめくり上げて、開封する。
【００２０】
このように、実施例２によれば、実施例１に近似した形態でありながら、開封作業をあえて２アクション（２つの動作）とすることにより、保護シート１４で開封用ミシン目１３を完全に保護することができ、配送中の不用意な開封を未然に防止し、より安全に運用することができる。
また、第１の開封領域１１Ａ−１と保護シート１４とは、強接着されているので、保護シート１４をめくるだけで、取り出し口ｂ（図２（Ｃ）参照）が自然に形成され、開封作業を行いやすい。
【実施例３】
【００２１】
図３は、本発明による貴重品封筒の実施例３を示す図である。
実施例３の貴重品封筒１０Ｂは、実施例１，２を応用発展させた形態である。
保護シート１４は、ハーフカットｈｃによって分離して剥がし取れるように形成され、開封用ミシン目１３のつまみ部１３ａ付近を表出させる矩形状のフタ部２１と、フタ部２１に連結する位置であって、開封用ミシン目１３と重ならず、かつ、開封用ミシン目１３の内側に沿うように形成され、開封用ミシン目１３での開封を補助する補助ミシン目（補助開封予定線）２２を備える。
【００２２】
また、擬似接着剤１６は、フタ部２１とフタ部２１の下層の上側封筒片１１とを擬似接着し、強接着剤１５は、フタ部２１以外の領域の保護シート１４とフタ部２１以外の領域の保護シート１４の下層の上側封筒片１１とを強接着している。
【００２３】
そして、この貴重品封筒１０Ｂを使用する場合には、まず、図３（Ｂ）に示すように、封入物３０を入れ、図３（Ｃ）に示すように、両面テープ１８で封緘し、この状態で配送する。
受取側では、フタ部２１を剥がし、図３（Ｄ）に示すように、つまみ部１３ａを引っ張り、開封用ミシン目１３と補助ミシン目２２とで開封する。
【００２４】
このように、実施例３によれば、フタ部２１を剥がすだけでつまみ部１３ａが表出するので、より簡便に開封することができる。
また、開封用ミシン目１３と補助ミシン目２２とは、重ならないように形成されているので、万一、配送中に補助ミシン目２２が切れてしまっても、開封用ミシン目１３には影響せず、高いセキュリティ性を確保できる。
【００２５】
（変形例）
以上説明した実施例に限定されることなく、種々の変形や変更が可能であって、それらも本発明の均等の範囲内である。
（１）例えば、上側封筒片１１，下側封筒片１２及び保護シート１４のうち少なくとも１つに、バーコードやＯＣＲ番号などの機械読取用識別記号（識別情報）を設けておくことで、配送状況を管理させたり、貴重品封筒を別途登録することでシステム的なセキュリティ性を向上させることもできる。
（２）実施例１の切り込み１９は、実施例２や実施例３に用いてもよい。
【図面の簡単な説明】
【００２６】
【図１】本発明による貴重品封筒の実施例１を示す図である。
【図２】本発明による貴重品封筒の実施例２を示す図である。
【図３】本発明による貴重品封筒の実施例３を示す図である。
【符号の説明】
【００２７】
１０、１０Ａ、１０Ｂ  貴重品封筒
１１  上側封筒片
１１Ａ  開封領域
１１Ａ−１  第１の開封領域
１１Ａ−２  第２の開封領域
１１Ｂ  非開封領域
１２  下側封筒片
１３  開封用ミシン目（開封予定線）
１３ａ  つまみ部
１４  保護シート
１５  強接着剤（強接着層）
１６  擬似接着剤（擬似接着層）
１７  フラップ部
１８  両面テープ（封緘手段）
１９  切り込み（不正防止部）
２０  機能層
２１  フタ部
２２  補助ミシン目（補助開封予定線）
３０  封入物
ａ  開口部
ｂ  取り出し口
ｈｃ  ハーフカット
【図１】
2006312473.tif 000003
【図２】
2006312473.tif 000004
【図３】
2006312473.tif 000005